【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
複数の画素で構成された撮像素子で生成された画像データから、前記撮像素子の欠陥画素の信号を検出する画像処理装置であって、
注目画素の周囲に位置する複数の画素の信号レベルに対する、前記注目画素の信号レベルの差分の大きさを示す第１の判定値を求める第１の判定手段と、
前記注目画素の周囲に位置する複数の画素の信号レベルに対する、前記注目画素の信号レベルの差分の大きさのばらつきを示す第２の判定値を求める第２の判定手段と、
前記第１の判定値及び前記第２の判定値を用いて、前記注目画素の信号が欠陥画素の信号であるか否かを検出する検出手段と、を有し、
前記第１の判定値は前記差分の大きさが大きいほど大きな値となり、前記第２の判定値は前記差分の大きさのばらつきが小さいほど大きな値となるものであって、
前記検出手段は、前記第１の判定値及び前記第２の判定値のいずれもが、予め定められた閾値以上である場合に、前記注目画素の信号を欠陥画素の信号として検出することを特徴とする画像処理装置。
【請求項２】
前記検出手段が、前記注目画素の信号を前記欠陥画素の信号として検出した場合に、前記注目画素の周囲に位置する画素から得られた信号レベルから求めた補正値を用いて、前記注目画素の信号レベルを補正する補正手段を更に有することを特徴とする請求項１に記載の画像処理装置。
【請求項３】
前記第１の判定手段は、前記注目画素の周囲に位置する複数の画素のそれぞれの信号レベルについて、前記注目画素の信号レベルとの差分を求め、それぞれの差分から前記注目画素の信号が欠陥画素の信号である可能性を示す値を求め、求めた値を乗算することで前記第１の判定値を求めることを特徴とする請求項１又は２に記載の画像処理装置。
【請求項４】
前記注目画素を含む領域において、前記注目画素を中心として複数の方向に対して高域通過フィルタ処理を行う処理手段を更に有し、
前記第１の判定手段は、前記高域通過フィルタ処理の結果の絶対値から、前記第１の判定値を求め、
前記第２の判定手段は、前記高域通過フィルタ処理の結果の絶対値のばらつきから、前記第２の判定値を求めることを特徴とする請求項１又は２に記載の画像処理装置。
【請求項５】
前記処理手段は、前記注目画素を含む領域において、前記注目画素を中心として複数の方向に対して低域通過フィルタ処理を行ってから、前記高域通過フィルタ処理を行うものであり、
前記注目画素を中心としていずれかの方向に前記低域通過フィルタ処理を行ってから、前記注目画素を中心として前記低域通過フィルタ処理とは異なる方向に前記高域通過フィルタ処理を行うことを特徴とする請求項４に記載の画像処理装置。
【請求項６】
互いに帯域の異なる高域通過フィルタ処理を行う複数の前記処理手段と、
複数の前記処理手段のそれぞれに対応して設けられた複数の前記第１の判定手段及び複数の前記第２の判定手段と、
いずれか１つの前記処理手段に対応した前記第１の判定手段と前記第２の判定手段によって求められた前記第１の判定値及び前記第２の判定値から得られた値を選択する選択手段と、を更に有することを特徴とする請求項４に記載の画像処理装置。
【請求項７】
複数の画素で構成された撮像素子で生成された画像データから、前記撮像素子の欠陥画素の信号を検出する画像処理装置であって、
注目画素の周囲に位置する複数の画素の信号レベルに対する、前記注目画素の信号レベルの差分の大きさを示す第１の判定値を求める第１の判定手段と、
前記注目画素の周囲に位置する複数の画素の信号レベルに対する、前記注目画素の信号レベルの差分の大きさのばらつきを示す第２の判定値を求める第２の判定手段と、
前記第１の判定値と前記第２の判定値を乗算して得られた値を用いて、前記注目画素の信号レベルと、前記注目画素の周囲に位置する画素の信号レベルから求めた補正値を重み付け加算することで、前記注目画素の信号レベルを補正する補正手段と、を有し、
前記第１の判定値は前記差分の大きさが大きいほど大きな値となり、前記第２の判定値は前記差分の大きさのばらつきが小さいほど大きな値となるものであって、
前記補正手段は、前記第１の判定値と前記第２の判定値を乗算して得られた値が大きいほど、前記補正値の重み付けを大きくすることを特徴とする画像処理装置。
【請求項８】
前記第１の判定手段は、前記注目画素の周囲に位置する複数の画素のそれぞれの信号レベルについて、前記注目画素の信号レベルとの差分を求め、それぞれの差分から前記注目画素の信号が欠陥画素の信号である可能性を示す値を求め、求めた値を乗算することで前記第１の判定値を求めることを特徴とする請求項７に記載の画像処理装置。
【請求項９】
前記注目画素を含む領域において、前記注目画素を中心として複数の方向に対して高域通過フィルタ処理を行う処理手段を更に有し、
前記第１の判定手段は、前記高域通過フィルタ処理の結果の絶対値から、前記第１の判定値を求め、
前記第２の判定手段は、前記高域通過フィルタ処理の結果の絶対値のばらつきから、前記第２の判定値を求めることを特徴とする請求項７に記載の画像処理装置。
【請求項１０】
前記処理手段は、前記注目画素を含む領域において、前記注目画素を中心として複数の方向に対して低域通過フィルタ処理を行ってから、前記高域通過フィルタ処理を行うものであり、
前記注目画素を中心としていずれかの方向に前記低域通過フィルタ処理を行ってから、前記注目画素を中心として前記低域通過フィルタ処理とは異なる方向に前記高域通過フィルタ処理を行うことを特徴とする請求項９に記載の画像処理装置。
【請求項１１】
互いに帯域の異なる高域通過フィルタ処理を行う複数の前記処理手段と、
複数の前記処理手段のそれぞれに対応して設けられた複数の前記第１の判定手段及び複数の前記第２の判定手段と、
いずれか１つの前記処理手段に対応した前記第１の判定手段と前記第２の判定手段によって求められた前記第１の判定値及び前記第２の判定値から得られた値を選択する選択手段と、を更に有することを特徴とする請求項９又は１０に記載の画像処理装置。
【請求項１２】
複数の画素で構成された撮像素子で生成された画像データから、前記撮像素子の欠陥画素の信号を検出する画像処理装置の制御方法であって、
第１の判定手段が、注目画素の周囲に位置する複数の画素の信号レベルに対する、前記注目画素の信号レベルの差分の大きさを示すものであって、前記差分の大きさが大きいほど大きな値となる第１の判定値を求めるステップと、
第２の判定手段が、前記注目画素の周囲に位置する複数の画素の信号レベルに対する、前記注目画素の信号レベルの差分の大きさのばらつきを示すものであって、前記差分の大きさのばらつきが小さいほど大きな値となる第２の判定値を求めるステップと、
検出手段が、前記第１の判定値及び前記第２の判定値のいずれもが、予め定められた閾値以上である場合に、前記注目画素の信号を欠陥画素の信号として検出するステップと、
を有することを特徴とする制御方法。
【請求項１３】
複数の画素で構成された撮像素子で生成された画像データから、前記撮像素子の欠陥画素の信号を検出する画像処理装置の制御方法であって、
第１の判定手段が、注目画素の周囲に位置する複数の画素の信号レベルに対する、前記注目画素の信号レベルの差分の大きさを示すものであって、前記差分の大きさが大きいほど大きな値となる第１の判定値を求めるステップと、
第２の判定手段が、前記注目画素の周囲に位置する複数の画素の信号レベルに対する、前記注目画素の信号レベルの差分の大きさのばらつきを示すものであって、前記差分の大きさのばらつきが小さいほど大きな値となる第２の判定値を求めるステップと、
補正手段が、前記第１の判定値と前記第２の判定値を乗算して得られた値が大きいほど、前記注目画素の周囲に位置する画素の信号レベルから求めた補正値の重み付けを大きくして、前記注目画素の信号レベルと前記補正値を重み付け加算することで、前記注目画素の信号レベルを補正するステップと、
を有することを特徴とする制御方法。
【請求項１４】
コンピュータを、請求項１乃至１１のうちいずれか１項に記載の画像処理装置が有する各手段として機能させるためのプログラム。